(57)【要約】【課題】成形材料の流れを制御する新規なノズルを提供する。【解決手段】成形ノズル（１０）はプラスチック溶融物の源からモールド空洞（１２）へのゲート（３０）に連通する出口までの材料の流れを制御する。ノズル（１０）は案内区分（４０）及び弁区分（４２）を有する弁ピン（３８）を収容し、ゲート（３０）を選択的に開閉するためにゲート（３０）に対して進退するように運動できる。弁ピン（３８）は、案内表面（６４）が弁ピン（３８）の案内区分（４０）に係合するように、ノズル（１０）内で内方に延びる羽根（６２）上の案内表面（６４）により運動を案内される。弁ピン（３８）の弁端部（４２）は案内区分（４０）の直径よりも小さな直径を有し、このため、弁区分（４２）は成形された部品内での流れラインの形成の可能性を最小にするために案内表面区域内で環状の流れを許容するように自由に浮遊する。
2005519793.tif 000002
【特許請求の範囲】
【請求項１】
源室からモールド空洞（１２）へのゲート（３０）に連通する出口への成形材料の流れを制御するためのノズル（１０）において、
材料入口及び材料出口を有し、第1の直径を有する仮想円上に位置する最内側案内表面（６４）を備えた少なくとも２つの半径方向内方に向いた案内羽根（６２）を有するノズル本体（１４）と；
軸方向に運動できるように上記ノズル本体（１４）内に位置し、端部（４３）を有する弁ピン（３８）であって、上記端部は、上記弁ピン（３８）が上記ゲート（３０）を通しての材料の流れを許容するように当該ゲート（３０）から離間する引き戻し位置と、該ゲート（３０）を通る流れを遮断するように当該弁ピン（３８）の上記端部（４３）が該ゲート（３０）内に位置し同ゲートを通る流れを遮断するような伸長位置との間を当該ノズル本体内で運動できるように、該ゲート（３０）内に収容できるように寸法決めされ、該弁ピン（３８）が上記案内表面（６４）に沿っての案内区分（４０）の摺動運動を許容するために上記第1の直径よりも僅かに小さな外径を有する円筒状の案内区分（４０）と、上記案内区分と軸方向で整合しこれに接続された円筒状の弁区分（４２）とを有し、上記弁区分（４２）が当該第1の直径よりも小さな直径を有し、該ゲート（３０）の横断面に対応しもって該ゲート（３０）のための閉鎖弁を画定する最前方端部（４３）を有するような弁ピンと；
を有することを特徴とするノズル。
【請求項２】
上記ノズル本体（１４）内に担持された管状の案内スリーブ（４４）を有し、上記案内羽根（６２）が上記案内スリーブ（４４）に担持されることを特徴とする請求項１に記載のノズル（１０）。
【請求項３】
上記案内表面（６４）の下流側端部（６８）が上記ゲート（３０）から離間した軸方向の位置で終端することを特徴とする請求項１に記載のノズル（１０）。
【請求項４】
上記案内表面（６４）の上流側端部（６６）は、上記弁ピン（３８）がその引き戻し位置にあるときに、当該弁ピン（３８）の上記案内区分（４０）が当該案内表面（６４）の上記上流側端部（６６）から軸方向に離間し、かつ、該弁ピン（３８）の上記弁区分（４２）が上記ノズル（１０）を通る材料の環状の流れを許容するような案内されない状態となり、該弁ピン（３８）の上記端部（４３）が該案内表面（６４）に関して自由に浮遊する状態にあるような、軸方向の位置で終端することを特徴とする請求項１に記載のノズル（１０）。
【請求項５】
上記案内表面（６４）の上流側端部（６６）は、上記弁ピン（３８）の上記案内区分（４０）が当該弁ピン（３８）の閉ストローク中に当該案内表面（６４）の当該側端部（６６）と最初に接触したときに上記ゲート（３０）から係合解除するような弁ピン（３８）係合位置で終端し、該案内表面（６４）は、該弁ピン（３８）が案内表面係合点から、上記弁区分（４２）が当該ゲート（３０）を通る材料の流れを遮断するように該ゲート（４０）と係合するような位置へ運動するときに、該案内表面（６４）と当該案内区分（４０）との間の係合を維持するのに十分な距離だけ軸方向に延びることを特徴とする請求項１に記載のノズル（１０）。
【請求項６】
上記ノズル本体（１４）内の、上記案内表面（６４）の軸方向範囲に沿った横断面流れ面積が、均一な流れ面積であることを特徴とする請求項１に記載のノズル（１０）。
【請求項７】
上記案内スリーブ（４４）が、互いに円周方向で均一に離間し、かつ、上記ノズル本体（１４）に関して軸方向に延びる複数の半径方向内方に延びる案内羽根（６２）を有することを特徴とする請求項２に記載のノズル（１０）。
【請求項８】
上記案内羽根（６２）が、上記スリーブ（４４）を通って流れる材料に運動の渦成分を与えるように、互いに円周方向で均一に離間し、上記ノズルの長手軸線に関して螺旋方向に延びることを特徴とする請求項２に記載のノズル（１０）。
【請求項９】
上記案内羽根（６２）が上記ノズル本体（14）の長手軸線に関して約１０°から約６０°までの角度で延びることを特徴とする請求項８に記載のノズル（１０）。
【請求項１０】
上記案内表面（６４）が上記ノズル本体（14）の長手軸線上に位置するその中心を有する円弧により画定されることを特徴とする請求項１に記載のノズル（１０）。
【請求項１１】
上記案内表面（６４）が上記案内スリーブ（４４）の長手軸線上に位置するその中心を有する円弧により画定されることを特徴とする請求項２に記載のノズル（１０）。
【請求項１２】
上記案内表面（６４）が軸方向に先細りした前縁（６６）を有することを特徴とする請求項１に記載のノズル（１０）。
【請求項１３】
上記案内表面（６４）が軸方向に先細りした後縁（６８）を有することを特徴とする請求項１に記載のノズル（１０）。
【請求項１４】
上記案内表面（６４）が軸方向に先細りした後縁（６８）を有することを特徴とする請求項１２に記載のノズル（１０）。
【請求項１５】
ゲート（３０）を通る材料の流れを選択的に許容及び遮断するために開位置と閉位置との間で管状のノズル本体（１４）内においてゲート弁閉鎖ピンを案内する方法において、
案内区分（４０）と、同案内区分（４０）の直径よりも小さな直径を有する弁端部（４２）とを有する段付きの円筒状弁ピン（３８）を提供する工程と；
上記ゲート（３０）を通しての材料の通過を許容するために上記弁ピン（３８）が当該ゲート（３０）に関して引き戻し位置にあるときに、上記ノズル本体（１４）内で同ノズル本体に関して当該弁ピン（３８）の上記弁端部（４２）が自由な浮遊状態になるのを許容する工程と；
上記ノズル本体（１４）に担持された内方へ延びる案内表面（６４）との上記弁ピン（３８）の接触無しに、上記引き戻し位置から上記ゲート（３０）の方へ第1の軸方向位置まで第1の距離だけ当該弁ピン（３８）を軸方向に運動させる工程と；
上記弁ピン（３８）が上記ゲート（３０）の方へ軸方向に運動し続けるときに、当該弁ピンの確実な案内のために、上記ノズル本体（１４）に担持された案内表面（６４）に対して当該弁ピン（３８）の上記案内区分（４０）を係合させる工程と；
上記弁ピン（３８）の上記弁端部（４２）が上記ゲート（３０）に近づくときに、上記ノズル本体（１４）に担持された上記案内表面（６４）との当該弁ピン（３８）の上記案内区分（４０）の係合により、該弁ピン（３８）を案内する工程と；
当該弁ピン（３８）の上記案内区分（４０）が上記案内表面（６４）により案内された状態で、材料の流れを阻止するように上記弁ピン（３８）の上記弁端部（４２）を上記ゲート（３０）内に挿入することにより、当該ゲート（３０）を閉じる工程と；
を有することを特徴とする方法。
【発明の詳細な説明】
【技術分野】
【０００１】
本発明はモールド空洞内への成形材料の流れを制御するために弁部材を組み込んだ射出成形ノズルに関する。特に、本発明は軸方向に可動な弁ピンがゲートと適正に整合するときにピンを案内するための内方へ延びる羽根を備えた案内スリーブを有する射出生成ノズルに関する。
【背景技術】
【０００２】
プラスチック射出モールドはしばしば、機械のサイクルの連続する射出相間で成形材料の流れを遮断するために高温湯道装置の出口端部に流れ遮断弁を有する。溶融流れ経路は射出成形機の可塑化バレルの内部で始まり、モールド空洞の内部への「ゲート」で終了する。ピン形式の弁部材がしばしばゲートに隣接して出口ノズル内に設けられ、ノズルからゲートを通ってモールド空洞内への溶融プラスチックの流れを制御する。特に、弁ピンの一部は、ゲートを通る溶融材料のいかなる更なる流れをも遮断するために、モールド空洞の充填後にゲートを閉じるようにゲート内へ可動である。
【０００３】
ゲートにピンを適正に整合させ、かつ、ピンが弁ピン自体の外側端部又はゲートの損傷を生じさせるのを阻止するために、弁ピンをノズル内で案内する種々の構成が提案されている。ゲートがモールド空洞と射出ノズルとの間の直接の連通を提供するような湯道無しモールド構造においては、弁ピンは、弁ピンの端部がモールド空洞表面の一部となりそれを画定するように、ゲートへ進入してそのゲートを閉じる。
【０００４】
今までの弁ピン案内構成はしばしば、材料流れ経路内に位置し、溶融プラスチック材料の入来する流れを、普通はゲートにすぐ隣接する下流側の地点で再度組み合わされる数個の独立したストリームに分割するのに役立つ支持素子を有していた。その結果、関連する成形された部品は、頻繁に、プラスチックの独立した流れがモールド空洞に入る前に結合して溶融物の均質なストリームを形成するのに十分なほど相互混合できないような領域を与える差し障りのある流れラインを示す。例えば、１９９７年１２月２３日に発行された「射出成形ノズルのための弁部材位置決めインサート」という名称の米国特許第５，７００，４９９号明細書（下記の特許文献１）においては、外側スリーブ及び同心の内側スリーブを有し、内側スリーブが外側スリーブから内側スリーブへ延びる半径方向の接続羽根により支持されているような弁ピンガイドが開示されている。その構成においては、プラスチックの流れは分離され、インサートの下流側で組み合わされねばならない。
【０００５】
溶融流れストリームを分割する他の既知の弁ピンガイドは１９９８年１２月１５日に発行された「円筒状弁部材を位置決めする一部品ゲートインサートを備えた射出成形装置」という名称の米国特許第５，８４９，３４３号明細書（下記の特許文献２）に開示されている。この特許明細書に開示されたガイド部材は入口からゲートを画定する一層狭い出口まで先細りする流れ通路を有する。通路内には数個の軸方向に延びる羽根が位置し、これらの羽根はインサートの入口からインサートの出口へ延び、ゲートを画定して、材料が成形された部品内の流れラインに通じるモールド空洞へ入るまで数個の流れストリームの再度の組み合わせを阻止する。
【特許文献１】米国特許第５，７００，４９９号明細書
【特許文献２】米国特許第５，８４９，３４３号明細書
【発明の開示】
【発明が解決しようとする課題】
【０００６】
成形された部品内の流れラインはこれらのラインが部品の所望の均一な表面外観を損ねる点で差し障りがあるので、適正なピン整合を維持しながらこのような流れラインの形成を回避するガイド構成を提供することが望ましい。それ故、本発明の目的は従来の装置の欠点を克服すること及び実質上流れラインの無い部品の形成を許容する弁ピンガイドを備えた射出成形ノズルを提供することである。
【課題を解決するための手段】
【０００７】
略述すると、本発明の１つの態様によれば、溶融源から、モールド空洞への入口点を提供するゲートに連通する出口までの成形材料の流れを制御するノズルが提供される。ノズルは材料入口と、材料出口と、案内表面を備えた半径方向内方に延びる案内羽根とを有するノズル本体を含む。弁ピンは、ノズル本体内に位置し、ゲートを選択的に開閉するために弁の端部がゲートと係合できるように、軸方向に動くことができる。一層詳細には、弁ピンは、弁ピンがノズルを通る材料の流れを許容するようにゲートから離間するような引き戻し位置と、弁ピンがゲートを閉じて材料の流れを遮断するような伸長位置との間を、ノズル本体内で動くことができる。弁ピンは円筒状の案内区分を有し、この案内区分は案内区分とノズル本体内の案内羽根の案内表面との係合を許容するような外径を有する。弁ピンの円筒状の弁区分は案内区分と軸方向で整合し、ゲートの横断面に対応する横断面を備えた最前方端部を有し、そのため、弁区分はゲートのための閉鎖弁を画定する。
【０００８】
本発明の別の態様によれば、ゲートを通る材料の流れを選択的に許容及び遮断するために開位置と閉位置との間を管状のノズル本体内でゲート弁閉鎖ピンを案内するための方法が提供される。この方法は、弁ピンとノズル本体に関連する内方に延びる案内表面との接触無しに、引き戻し位置から第１の内部位置までゲートの方へ軸方向に弁ピンを運動させる工程を有する。弁ピンは次いでノズル内の案内表面に係合させられ、弁ピンがゲートの方へ軸方向に動き続けるときに、弁ピンを確実に案内する。特に、弁ピンは弁ピンの周辺部とノズル本体の案内表面との係合により案内される。弁ピンの前方端部をゲートに係合させるように弁ピンが案内されるときに、ゲートが最終的に閉じられ、材料の流れを遮断する。
【発明を実施するための最良の形態】
【０００９】
ここで、図面特に図１を参照すると、ノズル１０が示され、このノズルを通って、溶融プラスチック材料が、固形プラスチック粒子即ちペレットを流動可能なプラスチック溶融物に変換するために可塑化スクリューを回転自在に内部に受け入れた細長い加熱されたバレルを有する普通の射出成形機可塑化装置の如き源（図示せず）から、モールド空洞１２内へ流入する。ノズル１０は溶融物チャンネル１６を含む管状のノズル本体１４を有し、溶融プラスチック材料は溶融物源からこのチャンネル内へ導入される。ノズル本体１４の下流側端部は管状のノズルチップ２２を受け入れるための軸方向に延びる内ネジ付のボア２０を有する。出口開口２４がノズルチップ２２内に設けられ、この開口を通って、溶融材料はモールド空洞１２へ入り、この空洞を最終的に満たす。
ノズルチップ２２は円筒状のゲート３０への入口を画定する円形の開口２８を有する第１のモールド半部分２６と接触係合し、このゲートはノズル１０の溶融物チャンネル１６とモールド空洞１２との間の連通を許容する。ノズル出口開口２４は開口２８及びゲート３０と軸方向で整合する。第２のモールド半部分３２は第１のモールド半部分２６と当接係合し、モールド空洞１２がモールド半部分２６、３２間に画定される。モールド空洞１２は、溶融プラスチックがゲート３０を通ってモールド空洞１２内へ流れ、空洞を満たして、従来既知のようにモールド空洞内の溶融プラスチックの冷却時に成形部品を形成することができるように、ゲート３０との連通を許容するように第２のモールド半部分３２内に位置する。
図１に示すように、第１のモールド半部分２６はその中にノズル１０を受け入れるくぼみ３４を有する。ノズル本体１４を取り巻くヒータ３６はプラスチック溶融物がモールド空洞１２へ入ったときにプラスチック溶融物を所望の温度に維持するためにノズル本体１４に熱を供給する。バンドヒータとして図示するが、当業者なら認識できるように、他の形式の加熱素子も使用することができる。
ノズル１０は弁ピン３８を有し、この弁ピンは溶融物チャンネル１６内で軸方向に位置し、ゲート３０内への及びゲートを通る溶融材料の流れを制御するために軸方向に運動することができる。弁ピン３８は、弁ピン３８に沿ってノズルチップ２２内へプラスチック溶融物の流れを搬送するための環状の通路を画定するために、溶融物チャンネル１６の外径よりも小さな直径を有する円筒状の案内区分４０を含む。その下流側端部において、弁ピン３８は、また円筒状で、案内区分４０と同軸の弁区分４２を有する。弁区分４２は案内区分４０の直径よりも小さな外径を有し、最前方端部４３で終端する。これに関し、弁区分４２の外径は開口２８及びゲート３０の直径とほぼ対応し、このため、弁ピン３８がノズルチップ２２に関して前方へ完全に伸長したとき、弁区分４２は開口２８内へ進んでゲート３０を閉じる。弁ピン３８がその引き戻し位置即ち図１に示す部品の位置にあるとき、ゲート３０は開き、溶融プラスチックは溶融物チャンネル１６から開口２８内へ、そしてゲート３０を通ってモールド空洞１２内へ流れることができる。
弁ピン３８は、弁ピンを開口２８に対して進退運動させるために、適当な作動機構（図示せず）によりノズル本体１４内で軸方向に運動するように作動させることができる。このような弁ピンのための既知の作動機構は液圧又は空気圧による作動のためにシリンダ内で動くように弁ピン３８の上流側端部に隣接して担持されたピストンを有する。他の弁ピン作動構成は、ラック及び弁ピン３８を軸方向に運動させるための回転可能なピニオンギアに係合する弁ピン３８に接続されたラックギアの如き機械的な性質のものとすることができる。
ノズルチップ２２内に担持された案内スリーブ４４はまたほぼ管状の形状を有する。ノズルチップ２２はノズル出口２４に対して第１の内側段部４８を画定する第１の内側カウンタボア４６と、第１のカウンタボア４６に対して第２の内側段部５２を画定する第２の内側カウンタボア５０とを有する。第２の内側段部５２は第１の内側段部４８から上流側に軸方向で離間し、案内スリーブ４４を内部に担持する段付き容器を画定する。案内スリーブ４４は内側カウンタボア４６内に受け入れられ第１の内側段部４８に当接する下流側端部５４を有する。案内スリーブ４４の拡大した上流側端部５６は外側カウンタボア５０内に受け入れられ、第２の内側段部５２に当接する外側段部５８を有する。環状のシール部材６０が案内スリーブ４４の上流側端部５６とノズル本体１４との間で外側カウンタボア５０内に設けられてシールを提供し、そのため、溶融プラスチックは溶融物チャンネル１６から案内スリーブ４４の内部へ流れ、次いでノズル出口２４を通る。
案内スリーブ４４の内径部は複数の半径方向内方に延びる案内羽根６２を含み、各羽根はスリーブ４４の中央軸線の方へ内方に向いた軸方向に延びる最内側の案内表面６４を有する。図１、２に示すように、そのような４つの案内羽根６２を設けることができるが、後述する案内機能のためには、３つ程度に少ない案内羽根６２で十分である。各案内羽根６２の案内表面６４は円弧により画定され、案内表面６４のそれぞれの円弧は弁ピン３８の案内区分４０の直径よりもほんの僅かに大きい直径を有する仮想円上に位置する。弁ピン３８が図１、２に示すようにノズルチップ２２に関して引き戻されたとき、弁ピン３８の弁区分４２の外表面は案内スリーブ４４内にあるが、案内表面６４の内方へ離間する。
図１、２に示すような案内羽根６２は案内スリーブ４４の長手軸線に関して軸方向に延び、案内区分４０がスリーブ４４内へ軸方向に動くときに弁ピン３８のセンタリングを容易にするために、傾斜した入口表面６６を有する。入口表面６６は、溶融プラスチック材料が案内スリーブ４４を通って流れるときに、溶融プラスチック材料の円滑な流れを許容するためにＶ字状断面を有することができる。案内羽根６２の下流側端部６８はまた、プラスチック溶融物が案内羽根６２に沿ってノズル出口２４の方へ流れるときに、案内羽根間を流れる材料の部分の円滑な再組み合わせを許容するためにＶ字状断面を伴って先細りとすることができる。図３は案内羽根６２の案内表面６４、入口表面６６及び下流側端部６８を示す。
案内スリーブ４４へ入るときの弁ピン３８の案内区分４０の円滑なセンタリングを許容するため、弁ピン３８は案内区分４０と弁区分４２との間に切頭円錐状の遷移区分７０を有する。弁ピンの長手軸線に関する遷移区分７０の傾斜角度は、有利には、入口表面傾斜角度とほぼ同じにすることができる。更に、弁ピン３８は、その上流側端部で、ノズル本体１４内において弁ピン３８を軸方向に運動させるアクチュエータ（図示せず）に接続されており、弁ピン３８の下流側端部は、図１に示すように、引き戻し位置で支持されていない。
作動において、溶融プラスチック材料はノズル１０内の溶融物チャンネル１６内へ導入され、ノズルチップ２２及びノズル出口２４の方へ下流側方向に流れる。これに関し、溶融物チャンネル１６は管状のノズル本体１４の内表面と円筒状の弁ピン３８の外表面との間に画定された環状のチャンネルである。プラスチック溶融物の流れは案内スリーブ４４へ入り、案内羽根６２の上方及びそのまわりを通過し、弁ピン３８の弁区分４２のまわりを通過する。明らかなように、溶融物流れストリームの中央の内側部分は、このストリームが案内羽根６２の案内表面６４と弁ピン３８の弁区分４２の外表面との間を流れるときに、環状形状に維持される。ノズル本体１４の内部表面に隣接する、流れストリームの残りの最外側部分は、中央の内側部分の環状の流れストリームに接続されたまま、隣接する案内羽根６２間の空間内へ流入する。従って、ここに開示された構造においては、溶融物ストリームは後に再組み合わせしなければならない数個の独立した不連続の流れストリームに分割されず、単一の連続する流れストリームとなる。
溶融材料はピン３８の弁区分４２に沿って流れ、最前方端部４３を通過し、開口２８に隣接した、ノズルチップ２２の外端と第１のモールド半部分２６のくぼみ３４との間のギャップ７２内へ流れる。材料は開口２８を通って進み、ゲート３０内へ進み、次いでモールド空洞１２内へ進む。モールド空洞１２が満たされてしまったとき、弁ピン３８は、モールド空洞１２の方へ軸方向に移動し、弁区分４２の最前方端部４３を開口２８へ進入させ、これにより、ゲート３０を閉じてモールド空洞内への溶融材料の更なる流れを遮断する。最前方端部４３での表面が関連するモールド空洞表面と同一面になったときに、弁ピン３８の運動が終了する。次いで、モールド空洞内の材料は冷却され、この冷却はモールド空洞１２に隣接してモールド半部分２６、３２内に冷却素子（図示せず）を設けることにより加速される。成形された部品が十分に冷却され終えたとき、モールド半部分２６、３２を離間させることによりモールドが開かれ、部品をモールド空洞１２から取り出す。モールド半部分２６、３２は再度接触関係に運動させることができ、成形サイクルを反復することができる。
図１、２は、弁ピン３８がその引き戻し位置にあって、プラスチック溶融物がノズル本体１４、ノズルチップ２２及びノズル出口２４を通って開口２８内へ自由に流れることができる状態の本発明を示す。弁ピン３８がその引き戻し位置からその伸長位置の方へ運動すると、弁ピン３８は流れている溶融プラスチック材料によりノズル本体１４内で実質上センタリングされる。
弁ピン３８がその伸長ストローク中にモールド空洞１２の方へ運動すると、図４，５に示すように、遷移区分７０が案内スリーブ４４へ入る。弁ピン３８が幾分偏心している場合、案内羽根６２の入口表面６６との遷移区分７０の接触がスリーブ４４内で弁ピン３８のセンタリングを生じさせる。開口２８の方への弁ピン３８の付加的な軸方向運動は弁ピンの案内区分４０をそれぞれの案内羽根６２の最内側案内表面６４間に受け入れさせてこれらの表面に接触させ、これは、最前方端部４３が開口２８と軸方向で整合するように、ノズルチップ２２に関して軸方向に弁ピン３８を案内するのに役立つ。
開口２８の方へ弁ピン３８を更に伸長させたとき、弁区分４２の最前方端部４３は開口２８へ入る。弁ピンがゲート３０を完全に満たし、最前方端部４３の端面が図６、７に示す位置であるモールド空洞１２の隣接する表面と同一面になるまで、弁ピン３８の運動が続く。図７から明らかなように、ギャップ７２内にある溶融材料と溶融物チャンネル１６の上流側部分内の溶融材料との間に連続的で中断の無い連通が存在する。その結果、弁区分４２が開口２８を閉じてゲート３０に入ったとき、弁ピン３８の案内区分４０の下方運動により押し出されたいかなる溶融材料も溶融材料源に向かって上流側方向に流れることができ、溶融物流れチャンネル１６を画定するそれぞれの部品間で可能な漏洩を生じさせるような不当な圧縮はない。
案内羽根６２がノズルの長手軸線に平行な方向に延びることに基づいて図示し、説明したが、所望なら、案内羽根の方位は変えることができる。代わりの構成として、案内羽根は、図８に示すように、案内羽根が案内スリーブの軸線に関して傾斜するように、案内スリーブ内で方位決めすることができる。これに関し、案内スリーブ７４は図１、２に示した案内スリーブ４４と同様の管状形状を有する。しかし、各案内羽根７６は、スリーブ７４の軸線に関して傾斜するように、同様に形状づけられ、同様に方位決めされる。その結果、案内羽根７６はプラスチック溶融物の流れストリームに渦巻き効果を与え、これは、材料が羽根７６を通るときに材料の混合を補助する役目を果たし、それにより、成形された部品内での流れラインの形成の可能性を更に最小にする。案内スリーブ７４の軸線に関する案内羽根７６の傾斜角度は約１０°から約６０°までの程度とすることができる。性能を更に最適化するため、図示のように、羽根７６の幅を増大させることができ、羽根７６をスリーブ７４に取付ける箇所にアールを設けることができる。
【００１０】
当業者なら、ここに図示し、説明したノズル及びノズル弁構造体が先に使用されていた構造体よりも優れた明確な利点を提供すること明らかである。ここで述べた本発明に係る構造体は成形された部品内での流れラインの形成を最小にするものと思われる。その理由は、ノズルを通るときの流れる材料の一体性のためであり、また、案内スリーブ内の内側案内羽根がノズル出口の十分上流側の地点で終端し、流れストリームがノズル出口通路へ入るときに流れストリームをその純粋に環状の形に戻すのに十分な距離を許容するからである。更に、弁が図１に示すようにその完全に開いた状態にあるとき、弁ピンの最前方端部は、繰り返し述べることになるが、成形された部品内での流れラインの可能性を最小にするために、流れストリームがゲートへ入る前に環状形状から円形断面を有する円筒形状に遷移するのを許容するのに十分な距離だけゲートから離間する。
【００１１】
本発明の特定の実施の形態を図示し、説明したが、当業者なら、本発明の概念から逸脱することなく、種々の変更及び修正が可能であること明らかである。従って、本発明の要旨内に入るそのようなすべての請求の範囲及び修正は特許請求の範囲に包含されることを意図するものである。
【図面の簡単な説明】
【００１２】
【図１】本発明に係る射出成形高温湯道ゲート弁の構成を示す概略長手方向断面図である。
【図２】図１の２−２線における断面図である。
【図３】本発明に係る案内スリーブ内に設けられた案内羽根により担持された案内表面の前面図である。
【図４】図１と同様の断面図で、弁ピンの案内区分が案内スリーブの案内表面と係合するときの、ゲートに関する弁ピンの位置を示す図である。
【図５】図４の５−５線における断面図である。
【図６】図４と同様の断面図で、弁ピンの最前方端部がゲートを閉じるためにゲート内へ受け入れられるように弁ピンが完全に伸長し終えたときの、それぞれの相対位置における部品を示す図である。
【図７】図６の７−７線における断面図である。
【図８】案内スリーブが溶融材料に渦を与えるように傾斜した案内羽根を有するような本発明に係る案内スリーブの別の実施の形態の断面図である。
【図１】
2005519793.tif 000003
【図２】
2005519793.tif 000004
【図３】
2005519793.tif 000005
【図４】
2005519793.tif 000006
【図５】
2005519793.tif 000007
【図６】
2005519793.tif 000008
【図７】
2005519793.tif 000009
【図８】
2005519793.tif 000010
【国際調査報告】
2005519793.tif 000011